(57)【特許請求の範囲】
【請求項１】
負荷（１２１）を駆動する主電源回路（１１９）と、
前記主電源回路に過電流が流れ、あるいは前記負荷が前記主電源回路にとって過負荷である場合には遮断される第１スイッチ（１０２）と、
前記第１スイッチを介して交流電圧を入力して、前記主電源回路に主直流電圧（Ｖｄｃ１）を供給する主整流回路（１１）と、
前記第１スイッチを制御する制御回路（１２３）に動作電源を供給する副電源回路（１１７）と、
前記第１スイッチを迂回して前記交流電圧を入力して前記副電源回路に副直流電圧（Ｖｄｃ２）を供給する副整流回路（１２）と、
前記主直流電圧及び前記副直流電圧を検出する直流電圧検出回路（１３）と
を備え、
前記主電源回路は
前記主直流電圧から前記負荷へ交流の出力電圧を供給するインバータ
を有し、
前記主整流回路は、
前記インバータのスイッチングリップルを吸収する第１コンデンサ（１０７）
を有し、
前記副整流回路は、
前記副直流電圧を平滑する第２コンデンサ（１１０）
を有し、
前記第１コンデンサの高電位側端に接続されたアノードと、前記第２コンデンサの高電位側端に接続されたカソードとを有するダイオード（１１１）
を更に備え、
前記直流電圧検出回路は前記ダイオードの前記カソードの電位を検出する、電源装置。
【請求項２】
前記ダイオードの前記カソードと、前記第２コンデンサの前記高電位側端との間に介挿される抵抗（１１２）
を更に備える、請求項１記載の電源装置。
【請求項３】
前記直流電圧検出回路の検出結果に基づいて前記交流電圧に過電圧が発生したと判断される場合に遮断される、前記第１スイッチとは別の第２スイッチ（１０５）
を更に備え、
前記副整流回路（１２）は前記第２スイッチを介して前記交流電圧を入力し、
前記交流電圧に過電圧が発生したと判断される場合には、前記第１スイッチも前記制御回路（１２３）によって遮断される、請求項１または請求項２記載の電源装置。
【発明の詳細な説明】
【技術分野】
【０００１】
この発明は電源装置に関し、例えば空気調和機の室外機に採用される電源装置に適用される。
【背景技術】
【０００２】
室内機と共に空気調和機を構成する室外機には、冷媒を圧縮する圧縮機が備えられる。当該圧縮機は、室外機の動作を制御するマイクロコンピュータによる制御の下、モータによって駆動される。
【０００３】
当該室外機には、モータを駆動するためのインバータ等の電源回路（以下、「主電源回路」と称す）と、当該マイクロコンピュータを駆動する電源回路（以下、「副電源回路」と称す）とが個別に必要となる。室外機では、マイクロコンピュータが動作しながらも、モータが停止する場合があるからである。
【０００４】
よって主電源回路に供給される直流電圧（以下、「主直流電圧」と称す）と、副電源回路に供給される直流電圧（以下、「副直流電圧」と称す）とが個別に生成される。
【０００５】
そして空気調和動作中において圧縮機の動作が不要もしくは不適切となる状況（以下「圧縮機停止状況」と称す）では、主直流電圧の供給を停止しつつ、副直流電圧の供給を維持してマイクロコンピュータによる室外機の制御又は保護を行う。
【０００６】
例えば圧縮機の動作が不要となる場合としては、空気調和機の起動直後や、圧縮機の駆動を必要としない空気調和動作時（いわゆるサーモオフ）が挙げられる。圧縮機の動作が不適切となる場合としては、主直流電圧に過電圧が発生したり、モータに過電流が流れたり、モータの負荷が過剰であったときが挙げられる。
【０００７】
圧縮機停止状況のうち、主直流電圧に過電圧が発生した場合以外は、主直流電圧の供給を停止しつつ副直流電圧の供給を維持することにより、主直流電圧に過電圧が発生しているか否かを検知し続けることが望ましい。
【０００８】
このように主直流電圧と副直流電圧とは個別に必要とされ、前者は圧縮機停止状況において遮断される。かかる要求を一つの要因として、主直流電圧と副直流電圧とは個別の整流回路（以下、それぞれ「主整流回路」「副整流回路」と称す）で生成される。
【０００９】
他方、部品数低減等の設計上の理由により、主直流電圧と副直流電圧とは共通した交流電源から生成される。そして圧縮機停止状況であっても主直流電圧の供給を停止し、副直流電圧の供給を維持すべく、主整流回路の交流入力側には電源スイッチが設けられる。一方、副整流回路の交流入力側には当該電源スイッチを迂回して交流電圧が入力する。
【００１０】
このように、共通の交流電源から、主電源回路には電源スイッチを介して、副電源回路には当該電源スイッチを迂回して、それぞれ給電される技術が公知である。例えば特許文献１にはこのような技術が例示されている。
【００１１】
なお、過電圧検出回路について例示する先行技術文献として、特許文献２〜４を挙げる。また、いわゆる電解コンデンサレスインバータ制御を示す先行技術文献として非特許文献１を挙げる。
【先行技術文献】
【特許文献】
【００１２】
【特許文献１】特開２０００−１１１１２３号公報
【特許文献２】特開２０００−６９７８６号公報
【特許文献３】特開２０１１−１０４９４号公報
【特許文献４】特開平８−７９９６３号公報
【非特許文献】
【００１３】
【非特許文献１】関本、他４名、「電解コンデンサレスインバータによるグローバル電源高調波規制対応エアコンの開発」、平成23年電気学会モータドライブ研究会、No.MD-11号、pp51-56
【発明の概要】
【発明が解決しようとする課題】
【００１４】
このように主整流回路と副整流回路とには、共通した交流電源から給電される。よって当該交流電源に過剰な電圧変動が発生した場合、主直流電圧に過電圧が発生するのみならず、副直流電圧にも過電圧が発生する可能性がある。このような場合、副整流回路及び副直流電圧が供給される部品、例えばマイクロコンピュータを保護すべく、副整流回路への交流電源からの給電を遮断することが望ましい。
【００１５】
よってこの発明の第１の目的は、主直流電圧のみならず副直流電圧をも検出し、もって主整流回路及び副整流回路の保護に資する技術を提供することにある。
【００１６】
なお近年、コスト低減、寸法縮小の要求に応え、主直流電圧を得るための構成から静電容量が大きな電解コンデンサを省略することが提案されている。これにより主直流電圧の脈動は顕著となるが、主直流電圧を受けたインバータの制御を適切に実行することで当該脈動に対処できる。主直流電圧と、副直流電圧とは、要求される電力の大きさが全く異なる。他方、副直流電圧はその使用目的から必要な電解コンデンサが設けられる。
【００１７】
よってこの発明の第２の目的は、主直流電圧と副直流電圧との干渉を避けてこれらを検出する技術を提供することにある。
【課題を解決するための手段】
【００１８】
この発明にかかる電源装置の第１の態様は、負荷（１２１）を駆動する主電源回路（１１９）と、前記主電源回路に過電流が流れ、あるいは前記負荷が前記主電源回路にとって過負荷である場合には遮断される第１スイッチ（１０２）と、前記第１スイッチを介して交流電圧を入力して、前記主電源回路に主直流電圧（Ｖｄｃ１）を供給する主整流回路（１１）と、前記第１スイッチを制御する制御回路（１２３）に動作電源を供給する副電源回路（１１７）と、前記第１スイッチを迂回して前記交流電圧を入力して前記副電源回路に副直流電圧（Ｖｄｃ２）を供給する副整流回路（１２）と、前記主直流電圧及び前記副直流電圧を検出する直流電圧検出回路（１３）とを備える。
【００１９】
そして、前記主電源回路は前記主直流電圧から前記負荷へ交流の出力電圧を供給するインバータを有し、前記主整流回路は、前記インバータのスイッチングリップルを吸収する第１コンデンサ（１０７）を有し、前記副整流回路は、前記副直流電圧を平滑する第２コンデンサ（１１０）を有する。
【００２０】
そして、前記第１コンデンサの高電位側端に接続されたアノードと、前記第２コンデンサの高電位側端に接続されたカソードとを有するダイオード（１１１）を更に備え、前記直流電圧検出回路は前記ダイオードの前記カソードの電位を検出する。
【００２１】
この発明にかかる電源装置の第２の態様は、その第１の態様であって、前記ダイオードの前記カソードと、前記第２コンデンサの前記高電位側端との間に介挿される抵抗（１１２）を更に備える。
【００２２】
この発明にかかる電源装置の第３の態様は、その第１または第２の態様であって、前記直流電圧検出回路の検出結果に基づいて前記交流電圧に過電圧が発生したと判断される場合に遮断される、前記第１スイッチとは別の第２スイッチ（１０５）を更に備え、前記副整流回路（１２）は前記第２スイッチを介して前記交流電圧を入力し、前記交流電圧に過電圧が発生したと判断される場合には、前記第１スイッチも前記制御回路（１２３）によって遮断される。
【発明の効果】
【００２３】
この発明にかかる電源装置の第１の態様によれば、主電源回路に過電流が流れ、あるいは負荷が主電源回路にとって過負荷である場合には第１スイッチが遮断されて主整流回路、主電源回路が保護される。このような場合であっても副直流電圧は維持されるので、交流電圧に異常な電圧が生じたか否かを直流電圧検出回路が検出することができる。
【００２４】
また主電源回路はインバータを有するので、主整流回路において平滑用のコンデンサを採用することなく、静電容量が小さな第１コンデンサを採用することができる。よって電源装置の小型化、低コスト化に資する。副整流回路は平滑機能を有する第２コンデンサを有するので、副電源回路では主電源回路のインバータのような複雑な制御を行う必要がない。
【００２５】
また負荷を停止させた際の主直流電圧の急上昇から、主整流回路及び主電源回路が保護される。しかもダイオードを用いない場合と比較して、第２コンデンサは静電容量を小さくすることができる。前記直流電圧検出回路は前記ダイオードの前記カソードの電位を検出するので、第１スイッチが遮断されて主直流電圧の供給が断たれても、副直流電圧を検出し、もって交流電圧に異常が発生したか否かが判断される。
【００２６】
この発明にかかる電源装置の第２の態様によれば、主直流電圧で検出される電圧変動が、第２コンデンサによって平滑化されてしまうという干渉が低減される。
【００２７】
この発明にかかる電源装置の第３の態様によれば、交流電源に過電圧が発生したと判断される場合には、第１スイッチ及び第２スイッチの両方が遮断されるので、主整流回路及び主電源回路のみならず、副整流回路及び副電源回路も保護される。
【図面の簡単な説明】
【００２８】
【図１】空気調和機の電気的構成の一部を示す回路図である。
【図２】室外機を起動、あるいは再稼働させる場合の各スイッチの動作を示すタイミングチャートである。
【図３】室外機を起動、あるいは再稼働させる場合の各スイッチの動作を示すタイミングチャートである。
【図４】各スイッチのオン・オフ動作を示すフローチャートである。
【発明を実施するための形態】
【００２９】
図１は室外機１と室内機２で構成される空気調和機の電気的構成の一部を示す回路図である。室内機２は交流電源２１と、通信回路２２と、室内機側スイッチ２３とを備えている。交流電源２１は室外機１に交流電圧を供給する。
【００３０】
実際には交流電源２１は商用電源から得られるが、ここでは室内機２内に設けられているとして表現している。通信回路２２は通信線Ｌｓを介して室外機１に接続され、室内機２と室外機１との間で伝達される信号を授受する。室内機側スイッチ２３は通信線Ｌｓと交流電源２１との接続／遮断を行う。
【００３１】
室外機１は下記の構成要素を備えている。主整流回路１１は第１スイッチ１０２を介して交流電源２１から得られる交流電圧を入力して、直流母線Ｌ１，Ｌ２間に主直流電圧Ｖｄｃ１を供給する。ここでは直流母線Ｌ２は接地され、直流母線Ｌ１よりも低電位となる。
【００３２】
主電源回路１１９には直流母線Ｌ１，Ｌ２を介して主直流電圧Ｖｄｃ１が供給され、負荷１２１を駆動する電力を出力する。主電源回路１１９は例えばインバータを有しており、交流の出力電圧を負荷１２１へ供給する。負荷１２１は例えばモータＭであり、モータＭは不図示の圧縮機を駆動する。当該圧縮機は空気調和機能に用いられる冷媒を圧縮する。
【００３３】
主整流回路１１は、例えば全波整流を行うダイオードブリッジ１０４と、リアクトル１０３と、第１コンデンサ１０７で構成される。リアクトル１０３は、第１スイッチ１０２とダイオードブリッジ１０４との間に介在する。第１コンデンサ１０７は、直流母線Ｌ１，Ｌ２の間に設けられ、主電源回路１１９が有するインバータのスイッチングリップルを吸収する機能を果たす。
【００３４】
第１コンデンサ１０７は平滑機能を果たすほどに大きな静電容量を有していない。主電源回路１１９はインバータを有するので、主整流回路１１において平滑用のコンデンサを採用することなく、第１コンデンサ１０７としてはその静電容量が小さなコンデンサを採用することができる。これは装置の小型化、低コスト化に資する。このような平滑機能が期待されないコンデンサを用いたインバータの制御は、電解コンデンサレスインバータ制御などと通称され、例えば非特許文献１等で紹介されている。
【００３５】
副整流回路１２は第１スイッチ１０２を迂回して交流電圧を入力して副直流電圧Ｖｄｃ２を供給する。副電源回路１１７は副直流電圧Ｖｄｃ２を入力して、制御回路１２３へその動作電源となる電位Ｖｃｃを供給する。
【００３６】
副整流回路１２は、例えば抵抗１０８、ダイオード１０９、第２コンデンサ１１０で構成され、半波整流を行う。副整流回路１２には第２スイッチ１０５を介して交流電圧が入力される。より具体的には、ダイオード１０９のアノードが抵抗１０８を介して第２スイッチ１０５に接続され、カソードと接地との間に第２コンデンサ１１０が設けられる。第２コンデンサ１１０の両端電圧が副直流電圧Ｖｄｃ２となる。
【００３７】
第２コンデンサ１１０は平滑機能を有する。これにより、副電源回路１１７では主電源回路１１９のような複雑な制御を行う必要がない。また、一般に、主電源回路１１９で要求される電力よりも、副電源回路１１７で要求される電力の方が小さいため、第２コンデンサ１１０の静電容量は、直流母線Ｌ１，Ｌ２の間に設けられて平滑機能を果たすコンデンサの静電容量よりも小さい。換言すれば、平滑用に第２コンデンサ１１０を設けても、直流母線Ｌ１，Ｌ２の間に平滑機能を果たすコンデンサを設けないことのメリット（小型化、低コスト化）が大きく損なわれることはない。
【００３８】
電流検出用の抵抗１１８は直流母線Ｌ２に介挿して設けられる。抵抗１１８における電圧降下は電流検出回路１２０にて測定され、直流母線Ｌ２に流れる電流ｉの値を示す信号ＯＣが電流検出回路１２０から出力される。電流ｉは主電源回路１１９に流れる電流として把握できるので、信号ＯＣを吟味することにより、主電源回路１１９に過電流が流れたか否かが判断できる。
【００３９】
温度検出素子１２２は負荷１２１の温度が所定温度を超えたか否かについての情報ＯＬを与える。例えば温度検出素子１２２はバイメタル素子であって、情報ＯＬはバイメタル素子のオン・オフに依存した二値に対応する。負荷１２１の温度が所定温度を超えたことで、負荷１２１が主電源回路１１９にとって過負荷の状況にあることが検知できる。
【００４０】
制御回路１２３は主電源回路１１９の動作を制御する他、信号ＯＣ，情報ＯＬに基づいて、第１スイッチ１０２のオン、オフを制御する。具体的には、制御回路１２３が上記の過電流、あるいは上記の過負荷があるか否かを判断し、肯定的な判断がされた場合には第１スイッチ１０２をオフする。これにより主整流回路１１、主電源回路１１９が保護される。
【００４１】
直流電圧検出回路１３は主直流電圧Ｖｄｃ１及び副直流電圧Ｖｄｃ２を検出する。ここでは直流電圧検出回路１３は抵抗１１３，１１４からなる分圧回路を備える。具体的には抵抗１１３は直流母線Ｌ１側に接続され、抵抗１１４は接地側に設けられ、両者は直流母線Ｌ１と接地との間で直列に接続される。
【００４２】
主直流電圧Ｖｄｃ１及び副直流電圧Ｖｄｃ２が当該分圧回路で分圧された電圧が、直流電圧検出回路１３から信号ＯＶとして出力される。制御回路１２３は信号ＯＶに基づいて、主直流電圧Ｖｄｃ１や副直流電圧Ｖｄｃ２に異常値が発生したか否かを判断する。当該異常値の発生の一因としては、室内機２から得られた交流電圧の過剰な変動が挙げられる。そして当該変動の一因としては、室内機２が入力する商用電源の変動が挙げられる。
【００４３】
副直流電圧Ｖｄｃ２は、第１スイッチ１０２を迂回して交流電圧を入力する副整流回路１２によって供給される。よって過電流や過負荷が検出されて第１スイッチ１０２がオフされ、主直流電圧Ｖｄｃ１が供給されない場合であっても、副直流電圧Ｖｄｃ２は供給され続けて直流電圧検出回路１３による検出が維持される。よって交流電圧に異常な電圧が生じたか否かを直流電圧検出回路１３が検出することができる。
【００４４】
第１スイッチ１０２をオフする場合としては、上記の過電流、過負荷の検出の他、いわゆるサーモオフも挙げられる。なお、負荷１２１が駆動する圧縮機（不図示）の保護のため、第１スイッチ１０２を一旦オフした後の所定期間は第１スイッチ１０２を再度オンにすることは禁止されることが望ましい。
【００４５】
直流電圧検出回路１３は制御回路１２３が電位Ｖｃｃを動作電源とすることに鑑みて、ダイオード１１５をも備えている。ダイオード１１５のカソードには電位Ｖｃｃが供給され、そのアノードは抵抗１１３，１１４の接続点（当該接続点から信号ＯＶが得られる）に接続される。これにより、信号ＯＶの最大電圧はほぼ電位Ｖｃｃに制限され、電圧の異常値の有無が制御回路１２３において検出されやすくなる。また、抵抗１１４には並列にコンデンサ１１６が接続され、これによってノイズの除去が行われる。
【００４６】
以上の第１スイッチ１０２と、主整流回路１１と、副整流回路１２と、主電源回路１１９と、副電源回路１１７と、直流電圧検出回路１３とは、主直流電圧Ｖｄｃ１及び副直流電圧Ｖｄｃ２を供給する電源装置を構成する、と把握できる。更に第２スイッチ１０５も当該電源装置の構成要素として把握することもできるが、その動作の詳細は後述する。
【００４７】
なお、当該電源装置は下記ダイオード１１１を設けることが望ましい。具体的にはダイオード１１１のアノードは、第１コンデンサ１０７の高電位側端（直流母線Ｌ１側の端）に接続され、そのカソードは第２コンデンサ１１０の高電位側端に接続される。そして直流電圧検出回路１３はダイオード１１１のカソードの電位を検出する。具体的には、ダイオード１１１のカソードに抵抗１１３が接続される。
【００４８】
もしダイオード１１１が設けられず、第１コンデンサ１０７の高電位側端と第２コンデンサ１１０の高電位側端とが接続されなければ、負荷１２１を停止させると主直流電圧Ｖｄｃ１は通常動作時よりも大きく上昇する。これは第１コンデンサ１０７の静電容量が小さいことによって顕著である。
【００４９】
他方、第１コンデンサ１０７の高電位側端と第２コンデンサ１１０の高電位側端とがダイオード１１１を介することなく接続されれば、第２コンデンサ１１０は大きな静電容量を必要とすることになり、第１コンデンサ１０７を小さくすることの意義が失われてしまう。
【００５０】
よってダイオード１１１を設けることにより、負荷１２１を停止させたときの主直流電圧Ｖｄｃ１の急上昇を第２コンデンサ１１０によって吸収させ、当該急上昇から主整流回路１１や主電源回路１１９を保護する。しかも通常動作時において第２コンデンサ１１０には主直流電圧Ｖｄｃ１を平滑する機能を担わせず、第２コンデンサ１１０の静電容量を小さくすることができる。
【００５１】
そして直流電圧検出回路１３はダイオード１１１のカソードの電位を検出するので、第１スイッチ１０２が遮断されて主直流電圧Ｖｄｃ１の供給が断たれても、副直流電圧Ｖｄｃ２を検出し、もって交流電圧に異常が発生したか否かが判断される。
【００５２】
更に望ましくは、上記の電源装置は下記抵抗１１２を設けることが望ましい。具体的には抵抗１１２は、ダイオード１１１のカソードと、第２コンデンサ１１０の高電位側端との間に介挿される。抵抗１１２は、第１スイッチ１０２をオフしたときの主直流電圧Ｖｄｃ１の急上昇を第２コンデンサ１１０によって吸収させる際の、突入電流を防止する。また通常動作時において、主直流電圧Ｖｄｃ１で検出される電圧変動が、第２コンデンサ１１０によって平滑化されてしまうという干渉が低減される。
【００５３】
第２スイッチ１０５は具体的には、切替スイッチであることが望ましい。ここでは第２スイッチ１０５の共通端が抵抗１０８を介してダイオード１０９のアノードに接続される。そして第２スイッチ１０５の共通端は第２スイッチ１０５のＡ端もしくは第２スイッチ１０５のＢ端のいずれかに排他的に接続される。
【００５４】
信号ＯＶに基づいて、交流電圧に過電圧が発生したと判断される場合には、制御回路１２３は第１スイッチ１０２をオフするだけではなく、第２スイッチ１０５の共通端と第２スイッチ１０５のＢ端とを遮断する。これによって交流電源２１に過電圧が発生したと判断される場合には、第１スイッチ１０２及び第２スイッチ１０５の両方が遮断されるので、主整流回路１１及び主電源回路１１９のみならず、副整流回路１２及び副電源回路１１７も保護される。
【００５５】
通常は、第２スイッチ１０５の共通端は第２スイッチ１０５のＡ端もしくは第２スイッチ１０５のＢ端のいずれか一方に（排他的のみならず）相補的に接続されるので、第２スイッチ１０５の共通端と第２スイッチ１０５のＡ端とが導通する。しかし、第２スイッチ１０５では、その共通端が第２スイッチ１０５のＡ端及びＢ端のいずれにも接続されない状況を採用してもよい。以下では第２スイッチ１０５の共通端が第２スイッチ１０５のＡ端もしくはＢ端のいずれか一方に相補的に接続される場合を例にとって説明する。
【００５６】
上記のようにして交流電圧に過電圧が発生したと判断される場合には、副整流回路１２にも交流電源２１から給電されず、よって副電源回路１１７も制御回路１２３へ動作電源たる電位Ｖｃｃを供給することができない。よってその後の室外機１の再稼働には制御回路１２３による制御を用いることはできない。
【００５７】
そこで、室外機１の再稼働、あるいは起動には、室内機２の室内機側スイッチ２３を用いて、通信線Ｌｓと交流電源２１とを接続する。
【００５８】
通信線Ｌｓは通信回路１０６に接続されている。通常運転時は室内機側スイッチ２３がオフしており、通信線Ｌｓは室内機２の通信回路２２と、室外機１の通信回路１０６との間で伝達される信号を授受する。
【００５９】
通信線Ｌｓは第２スイッチ１０５のＡ端に接続されており、室内機側スイッチ２３がオンすることによって、交流電源２１を副整流回路１２へ接続する。これにより副電源回路１１７が電位Ｖｃｃを制御回路１２３へと供給し、制御回路１２３の動作が可能となる。
【００６０】
室内機側スイッチ２３をオンさせる動作は例えばユーザによって行うことができる。但し、後述するタイミングで適切にオフするため、室内機側スイッチ２３をオフさせる動作は室内機２における制御の下、そのオン動作から所定期間経過後に自動的に行われることが望ましい。
【００６１】
制御回路１２３に電位Ｖｃｃの供給が開始されることにより、制御回路１２３は第１スイッチ１０２をオンし、第２スイッチ１０５の共通端の接続相手をＡ端からＢ端へと切り替える。
【００６２】
図２、図３は室外機１を起動、あるいは再稼働させる場合の各スイッチの動作を示すタイミングチャートである。時刻ｔ１において室内機側スイッチ２３がオンすると、制御回路１２３が動作して時刻ｔ２（＞ｔ１）に第２スイッチ１０５の切り替えが行われ、これにより副整流回路１２に交流電圧が供給される。その後、時刻ｔ３（＞ｔ２）において第１スイッチ１０２をオンさせる。これにより主整流回路１１にも交流電圧が供給される。その後、時刻ｔ４（＞ｔ３）において、室内機側スイッチ２３がオフする。この室内機側スイッチ２３がオンしたままであると、通信回路２２，１０６の間の通信に支障が出るからである。
【００６３】
その後、室内機側スイッチ２３がオフ、第１スイッチ１０２がオン、第２スイッチ１０５において共通端がＡ端と接続される状況が続く。
【００６４】
図２においては、時刻ｔ５（＞ｔ４）において過電流や過負荷が検出されると、制御回路１２３は第２スイッチ１０５の状況を維持したまま、第１スイッチ１０２をオフする。
【００６５】
図３においては、時刻ｔ６（＞ｔ４）において過電圧が検出されると、制御回路１２３は第１スイッチ１０２をオフし、第２スイッチ１０５の共通端の接続先をＢ端からＡ端へと切り替える。
【００６６】
図４はこのような各スイッチのオン・オフ動作を示すフローチャートである。ここで示されたステップの内、ステップＳ１、Ｓ４は室内機２側の動作であり、それ以外のステップは室外機１において制御回路１２３の制御の元で行われる動作である。
【００６７】
ステップＳ１は図２、図３の時刻ｔ１における動作であり、室内機側スイッチ２３がオンする。ステップＳ２は図２、図３の時刻ｔ２における動作であり、第２スイッチ１０５の共通端の接続先がＡ端からＢ端へと切り換わる。ステップＳ３は図２、図３の時刻ｔ３における動作であり、第１スイッチ１０２がオンする。ステップＳ４は図２、図３の時刻ｔ４における動作であり、室内機側スイッチ２３がオフする。
【００６８】
ステップＳ５において、過電流、あるいは過負荷が検出されたか否かが判断される。当該判断が肯定的であれば、処理がステップＳ６に進み、第１スイッチ１０２がオフする。これは図２の時刻ｔ５における動作に相当する。
【００６９】
ステップＳ５における判断が否定的であれば、処理がステップＳ７に進み、過電圧が検出されたか否かが判断される。かかる判断は直流電圧検出回路１３が主直流電圧Ｖｄｃ１のみならず副直流電圧Ｖｄｃ２をも検出することで実現できる。当該判断が否定的であれば、引き続き通常動作が維持されるべく、ステップＳ５に処理が戻る。
【００７０】
ステップＳ７における判断が肯定的であれば、処理がステップＳ８に進み、第１スイッチ１０２がオフするのみならず、第２スイッチ１０５の共通端の接続先がＢ端からＡ端へと切り換わる。これは図３の時刻ｔ６における動作に相当する。
【００７１】
以上のように本実施の形態によれば、主直流電圧Ｖｄｃ１のみならず副直流電圧Ｖｄｃ２をも検出することができ、またこれによって主整流回路１１及び副整流回路１２の保護ができる。
【符号の説明】
【００７２】
１１  主整流回路
１２  副整流回路
１３  直流電圧検出回路
１０２  第１スイッチ
１０５  第２スイッチ
１０７  第１コンデンサ
１１０  第２コンデンサ
１１１  ダイオード
１２１  負荷
１１７  副電源回路
１１９  主電源回路
１２３  制御回路
Ｖｄｃ１  主直流電圧
Ｖｄｃ２  副直流電圧
【図１】
0005482840.tif 000002
【図２】
0005482840.tif 000003
【図３】
0005482840.tif 000004
【図４】
0005482840.tif 000005